(57)【要約】【課題】  本考案の目的は、利便性の高い把持部を備える抽出具を提供することにある。【解決手段】  抽出具１は、被抽出物を収納可能なバッグ部２と、バッグ部２を変位させる際に把持する把持部３と、把持部３とバッグ部２とを連結し、可撓性を有する長尺の連結部材４とを有している。把持部３は、被抽出物を収納したバッグ部２を容器５内に配置した状態で、容器５に係止可能な係止片３１を備えている。また、把持部３は、動物、植物、文字、図形、記号、道具および風景のうちの少なくとも１つを含む外形を有する部分を備えることが好ましい。【選択図】図２
0003210830.tif 000002
【実用新案登録請求の範囲】
【請求項１】
被抽出物を収納可能なバッグ部と、
前記バッグ部を変位させる際に把持する把持部と、
前記把持部と前記バッグ部とを連結し、可撓性を有する長尺の連結部材とを有し、
前記把持部は、前記被抽出物を収納した前記バッグ部を容器内に配置した状態で、前記容器に係止可能な係止片を備えることを特徴とする抽出具。
【請求項２】
前記把持部は、動物、植物、文字、図形、記号、道具および風景のうちの少なくとも１つを含む外形を有する部分を備える請求項１に記載の抽出具。
【請求項３】
前記係止片の長さは、前記連結部材の長さの１／３０〜１／１０である請求項１または２に記載の抽出具。
【考案の詳細な説明】
【技術分野】
【０００１】
本考案は、抽出具に関する。
【背景技術】
【０００２】
紅茶等の飲料を１杯単位で準備する場合、簡便であることから、従来より、ティーバッグ（抽出具）が使用されている。また、近年では、ティーバッグの袋（バッグ部）内に沸石を収納して、電子レンジを用いて飲料を準備することができるティーバッグも提案されている（例えば、特許文献１参照）。
【０００３】
このようなティーバッグは、一般に、茶葉を収納した袋に、タグ（把持部）が糸（連結部材）により連結された構成である。実際に飲料を準備する場合、例えば、お湯を入れた容器内に袋を浸し、タグは、容器の外にぶら下げた状態とする。このとき、不本意にタグが容器内に入ってしまうことがあるが、やけどのおそれがあることから、お湯からタグを取り出す操作が面倒になることがある。
【０００４】
また、タグは、特徴のない正方形状の紙片で構成され、その表面には、印字や模様が付されてはいるものの、使用者（需要者）に決して興味を引かせるようなものではない。
【先行技術文献】
【特許文献】
【０００５】
【特許文献１】特開２０１１−１３９８３７号公報
【考案の概要】
【考案が解決しようとする課題】
【０００６】
本考案の目的は、利便性の高い把持部を備える抽出具を提供することにある。
【課題を解決するための手段】
【０００７】
このような目的は、下記（１）〜（３）の本考案により達成される。
（１）  被抽出物を収納可能なバッグ部と、
前記バッグ部を変位させる際に把持する把持部と、
前記把持部と前記バッグ部とを連結し、可撓性を有する長尺の連結部材とを有し、
前記把持部は、前記被抽出物を収納した前記バッグ部を容器内に配置した状態で、前記容器に係止可能な係止片を備えることを特徴とする抽出具。
【０００８】
（２）  前記把持部は、動物、植物、文字、図形、記号、道具および風景のうちの少なくとも１つを含む外形を有する部分を備える上記（１）に記載の抽出具。
【０００９】
（３）  前記係止片の長さは、前記連結部材の長さの１／３０〜１／１０である上記（１）または（２）に記載の抽出具。
【図面の簡単な説明】
【００１０】
【図１】本考案の抽出具の実施形態を示す斜視図である。
【図２】図１に示す抽出具の使用時の状態を示す図である。
【図３】図１に示す抽出具の使用後の状態を示す図である。
【図４】把持部の他の構成例を示す平面図である。
【考案を実施するための形態】
【００１１】
以下、本考案の抽出具について、添付図面に示す好適実施形態に基づいて詳細に説明する。
図１は、本考案の抽出具の実施形態を示す斜視図、図２は、図１に示す抽出具の使用時の状態を示す図、図３は、図１に示す抽出具の使用後の状態を示す図、図４は、把持部の他の構成例を示す平面図である。
【００１２】
図１に示す抽出具１は、被抽出物を収納可能なバッグ部２と、バッグ部２を変位させる際に把持する把持部３と、バッグ部３と把持部２とを連結する連結部材４とを有している。
被抽出物としては、特に限定されないが、例えば、緑茶、紅茶、ウーロン茶、ジャスミン茶、麦茶、コーヒー、ココア、生薬（漢方薬）等が挙げられる。
【００１３】
バッグ部２には、流通時（保存時）に被抽出物が収納されていてもよく、使用者が抽出前に所望の被抽出物を収納し得るように構成されていてもよい。
このようなバッグ部２の素材は、被抽出物の種類に応じて適宜選択され、特に限定されないが、例えば、織布、不織布、濾紙、メッシュ（網）等が挙げられる。
また、バッグ部２の形状は、図示の構成では、三角錐形状をなしているが、これに限定されず、例えば、四角形の扁平状、円形または楕円形の扁平状等であってもよい。
【００１４】
バッグ部２には、例えば、ステープラー用の金属針、接着剤、シール、編み込み等により連結部材４の一端部が接続されている。連結部材４は、可撓性を有する長尺の部材である。
連結部材４の素材には、例えば、木綿糸、絹糸、樹脂繊維等を用いることができる。連結部材４の形状は、特に限定されないが、例えば、糸状、帯状、撚糸状等とすることができる。
また、連結部材４の長さは、特に限定されないが、５〜１５ｃｍ程度であることが好ましく、７〜１０ｃｍ程度であることがより好ましい。
【００１５】
連結部材４の他端部には、例えば、ステープラー用の金属針、接着剤、シール、編み込み等により把持部３が接続されている。把持部３を把持して、お湯の中でバッグ部２を揺動させることにより、被抽出物からの飲料成分の抽出を促進させることができる。
把持部３は、動物、植物、文字、図形、記号、道具および風景のうちの少なくとも１つを含む外形を有する部分を備えている。
【００１６】
図１に示す把持部３は、羽根を広げた状態の蝶（動物）の外形を有しており、蝶の基部の下端部が両翅と離間しており、当該部分が係止片３１を構成している。
この係止片３１の長さは、連結部材４の長さの１／５０〜１／１０程度であることが好ましく、１／３５〜１／１５程度であることがより好ましい。係止片３２の長さをかかる範囲に設定することにより、把持部３を容器５に確実に係止することができる。
【００１７】
かかる構成の把持部３であれば、使用者（需要者）に興味を引かせることができる。なお、把持部３には、例えば、印字、模様等が付されていてもよい。
このような把持部３の素材としては、特に限定されないが、例えば、木材、紙、合成紙、プラスチックフィルム等が挙げられる。これらの中でも、水を吸わないので抽出成分の移行がなく、色移りもないことから、把持部３の素材としては、合成紙が好ましい。
【００１８】
合成紙としては、いずれも株式会社ユポ・コーポレーション社製の品番ＱＪＪ５００、品番ＷＦＰ５００等を好適に使用することができる。なお、把持部３に十分な機械的強度を付与する観点から、３００μｍ以上の厚みを有する合成紙を使用することが好ましい。
【００１９】
次に、抽出具１の使用方法について説明する。
［１］まず、容器５を用意し、容器５内にお湯を入れ、お湯にバッグ部２を浸す。
［２］次いで、把持部３の係止片３１を容器５の開口縁部５１に係止する。この状態を維持することにより、被抽出物から飲料成分を抽出する。
必要に応じて、把持部３の係止片３１を容器５の開口縁部５１に係止する前に、把持部３を指等で把持し、横方向および／または縦方向に移動（変位）させることにより、お湯の中でバッグ部２を揺動させてもよい。
【００２０】
前記工程［１］および［２］に代えて、次のようにしてもよい。
［１’］まず、容器５を用意し、容器５内にバッグ部２を配置するとともに、把持部３の係止片３１を容器５の開口縁部５１に係止する。
［２’］次いで、容器５内にお湯を注いで、お湯にバッグ部２を浸す。この状態を維持することにより、被抽出物から飲料成分を抽出する。
このとき、必要に応じて、把持部３を指等で把持し、横方向および／または縦方向に移動（変位）させることにより、お湯の中でバッグ部２を揺動させてもよい。
【００２１】
この場合、把持部３の係止片３１を容器５の開口縁部５１に係止しているので、容器５内にお湯を勢いよく注いだ場合でも、お湯の勢いに負けて、把持部３がお湯内に入ってしまうことを防止することができる。
係止片３１を有さない従来のタグでは、タグが容器５内に入ってしまい。やけどのおそれがあることから、お湯からタグを取り出す操作が面倒であった。
【００２２】
［３］お湯の色が変わり、被抽出物から飲料成分を十分に抽出することができたら、把持部３を指等で把持し、バッグ部２をお湯から取り出す。
［４］その後、例えば、抽出具１を容器５の受け皿６に置く。このとき、図３に示すように、バッグ部２に把持部３を添えるように配置する。また、係止片３１をバッグ部２に係止するようにしてもよい。
【００２３】
このような抽出具１によれば、飲料成分の抽出時（使用時）には、蝶が容器５の開口縁部５１に留っているような状態を演出することができ、使用後においても、蝶が受け皿６に留っているような状態を演出することができる。このため、使用者にとって見た目もよい（審美性に優れる）。
また、把持部３の容器５への固定は、係止片３１を容器５の開口縁部５１に係止するという簡便な操作で行うことができ、利便性が高い。なお、係止片３１は、容器５の取っ手５２にも係止可能に構成してもよい。
【００２４】
把持部３は、図４に示すような外形を有することもできる。
図４（ａ）に示す把持部３は、リス（動物）の外形を有する部分を備え、当該部分から複数の係止片３１が突出している。この場合、連結部材４の他端部は、例えば、リスの腹の部分、リスの尻尾の部分等に接続される。
【００２５】
また、図４（ｂ）に示す把持部３は、馬（動物）の外形をなしており、馬の４つの脚が係止片３１を構成している。この場合も、連結部材４の他端部は、例えば、馬の腹の部分、馬の尻尾の部分等に接続される。
また、図４（ｃ）に示す把持部３は、竿（道具）を垂らした釣り人（動物）の外形を有する部分を備え、当該部分から複数の係止片３１が突出している。この場合、連結部材４の他端部は、例えば、釣り人の脚の部分、竿の先端部等に接続される。
【００２６】
以上、本考案の抽出具について説明したが、本考案はこれに限定されるものではなく、例えば、抽出具を構成する各部は、同様の機能を発揮する構成と置換することができ、また、任意の構成が追加されてもよい。
【符号の説明】
【００２７】
１          抽出具
２          バッグ部
３          把持部
３１        係止片
４          連結部材
５          容器
６          受け皿
【図１】
0003210830.tif 000003
【図２】
0003210830.tif 000004
【図３】
0003210830.tif 000005
【図４】
0003210830.tif 000006